(57)【特許請求の範囲】
【請求項１】
第１及び第２の筐体と、
前記第１及び第２の筐体を相互に回動可能に連結するヒンジ部と、
前記第１の筐体の内部から前記ヒンジ部の内部を介して前記第２の筐体の内部に亘って配設され、前記第１の筐体の内部と前記第２の筐体の内部とを相互に電気的に接続する可撓性基板と、
前記可撓性基板に伴って屈曲するよう該可撓性基板に設けられて一定の電流が流され、前記第１及び第２の筐体の相対角度に応じた強さの磁界を発生する磁界発生用通電部材と、
前記磁界発生用通電部材から発生される磁界の強さを検出する磁界強度検出手段と、
前記磁界強度検出手段により検出された磁界の強さに応じて制御信号を出力する制御信号出力手段と、
を備えることを特徴とする電子機器。
【請求項２】
前記磁界強度検出手段は、磁界発生用通電部材から発生される磁界の強さを検出し、その検出値に応じた電圧を出力するホールＩＣであり、
前記制御信号出力手段は、前記ホールＩＣより出力された電圧の値に応じて前記制御信号を出力することを特徴とする請求項１に記載の電子機器。
【請求項３】
前記磁界発生用通電部材は、前記第１及び第２の筐体のうちの一方の筐体内に配設された電源から他方の筐体内へと電力を供給する電気配線であることを特徴とする請求項１又は２に記載の電子機器。
【請求項４】
前記可撓性基板は、前記第１の筐体内に配設された第１の回路基板と前記第２の筐体内に配設された第２の回路基板とを相互に電気的に接続するものであることを特徴とする請求項１乃至３の何れか一項に記載の電子機器。
【請求項５】
前記可撓性基板は、前記ヒンジ部内において巻回された巻回部を備え、
前記磁界発生用通電部材は、前記可撓性基板の巻回部における巻回方向に沿って配設されていることを特徴とする請求項１乃至４の何れか一項に記載の電子機器。
【請求項６】
表示装置と、
前記制御信号出力手段からの前記制御信号に従って前記表示装置の表示制御を行う表示制御手段と、
を備えることを特徴とする請求項１乃至５の何れか一項に記載の電子機器。
【請求項７】
無線通信用の電波を送受信するアンテナと、
前記制御信号出力手段からの前記制御信号に従って前記アンテナのマッチング定数を複数の値のうちの何れかの値に選択的に切り替えるアンテナマッチング切替回路と、
を備えることを特徴とする請求項１乃至６の何れか一項に記載の電子機器。
【請求項８】
前記制御信号出力手段は、前記第１及び第２の筐体の少なくとも３段階の相対角度に応じた前記制御信号をそれぞれ出力することを特徴とする請求項１乃至７の何れか一項に記載の電子機器。
【請求項９】
前記制御信号に応じてどのような動作を行うかを使用者が任意に設定可能であることを特徴とする請求項１乃至８の何れか一項に記載の電子機器。
【請求項１０】
前記第１及び第２の筐体を相互に折り畳み可能であることを特徴とする請求項１乃至９の何れか一項に記載の電子機器。
【請求項１１】
当該電子機器は、無線通信機能を備える移動通信端末装置であることを特徴とする請求項１乃至１０の何れか一項に記載の電子機器。
【請求項１２】
第１及び第２の筐体と、前記第１及び第２の筐体を相互に回動可能に連結するヒンジ部と、前記第１の筐体の内部から前記ヒンジ部の内部を介して前記第２の筐体の内部に亘って配設され、前記第１の筐体の内部と前記第２の筐体の内部とを相互に電気的に接続する可撓性基板と、を備える電子機器の動作制御を行う方法において、
前記可撓性基板に伴って屈曲するよう該可撓性基板に設けられた磁界発生用通電部材に一定の電流を流し、前記第１及び第２の筐体の相対角度に応じた強さの磁界を前記磁界発生用通電部材から発生させる第１の過程と、
前記磁界発生用通電部材から発生される磁界の強さを検出する第２の過程と、
前記第２の過程により検出された磁界の強さに応じて制御信号を出力する第３の過程と、
前記制御信号に従った動作を行う第４の過程と、
を備えることを特徴とする電子機器の動作制御方法。
【請求項１３】
前記第２の過程では、前記磁界発生用通電部材から発生される磁界の強さをホールＩＣにより検出し、その検出値に応じた電圧を前記ホールＩＣから出力し、
前記第３の過程では、前記ホールＩＣより出力された電圧の値に応じて前記制御信号を出力することを特徴とする請求項１２に記載の電子機器の動作制御方法。
【請求項１４】
前記電子機器は表示装置を備え、
前記第４の過程では、前記表示装置の表示制御を前記制御信号に従って行うことを特徴とする請求項１２又は１３に記載の電子機器の動作制御方法。
【請求項１５】
前記電子機器は、無線通信用の電波を送受信するアンテナと、前記アンテナのマッチング定数を複数の値のうちの何れかの値に選択的に切り替えるアンテナマッチング切替回路と、を備え、
前記第４の過程では、前記マッチング定数を前記制御信号に従って切り替えることを特徴とする請求項１２乃至１４の何れか一項に記載の電子機器の動作制御方法。
【発明の詳細な説明】
【技術分野】
【０００１】
本発明は、電子機器及びその動作制御方法に関する。
【背景技術】
【０００２】
従来、携帯電話機或いはその他の折り畳み式移動通信装置には、開閉動作に連動して作動する機能を有するタイプのものがある。
【０００３】
そのような機能の具体例としては、例えば、閉状態ではディスプレイをＯＦＦする一方で閉状態から開状態に移行したときにディスプレイをＯＮする機能や、開閉動作に受話、終話動作を連動させた機能が挙げられる。
【０００４】
また、電波の送受信を行うアンテナの特性は装置の形状に大きく左右される。このため、開閉動作にアンテナのマッチング回路の切替動作を連動させることにより、通信品質を向上する技術もある。
【０００５】
このように開閉動作に連動する機能を実現させるためには、装置の開閉状況を検出する回路を備える必要がある。
【０００６】
このような従来の技術としては、例えば、特許文献１、２に開示された技術がある。
【０００７】
特許文献１には、スイッチにより開閉状態を検出する機構を備える折り畳み式装置が開示されている。
【０００８】
また、特許文献２には、磁石と、この磁石から発生される磁界の強さを検出するホールＩＣとにより開閉状態を検出する折り畳み式携帯電話機が開示されている。
【特許文献１】特開２００３−１５８５７３号公報
【特許文献２】特開２００４−２９７４５３号公報
【発明の開示】
【発明が解決しようとする課題】
【０００９】
ところで、折り畳み式移動通信装置は軽量化、小型化が進んでいるが、特許文献１、２の技術では磁石及びホールＩＣ、或いは、スイッチなどの機構部品を備える必要があり、サイズや重量の制約には限界があるため、軽量化、小型化が困難であるという問題がある。
【００１０】
そこで、新たな部品の追加は最小限に抑えて装置の開閉検出が可能になる技術が求められている。
【００１１】
また、データ通信やＴＶ電話での使用時には全開状態（例えば、１６０°程度）で手に持つのではなく、ある程度の開角度（例えば、９０°程度）に設定して机などの上に置いて使用することが考えられるため、全開状態と閉状態との中間の角度を検出する技術も求められている。
【００１２】
本発明は、上記のような問題点を解決するためになされたもので、第１及び第２の筐体と、前記第１及び第２の筐体を相互に回動可能に連結するヒンジ部と、を備える電子機器の開閉状態などを検出するに際し、軽量化、小型化を好適に実現することが可能であり、全開状態と閉状態との中間の角度の検出も容易に行うことが可能な電子機器及びその動作制御方法を提供することを目的とする。
【課題を解決するための手段】
【００１３】
上記課題を解決するため、本発明の電子機器は、第１及び第２の筐体と、前記第１及び第２の筐体を相互に回動可能に連結するヒンジ部と、前記第１の筐体の内部から前記ヒンジ部の内部を介して前記第２の筐体の内部に亘って配設され、前記第１の筐体の内部と前記第２の筐体の内部とを相互に電気的に接続する可撓性基板と、前記可撓性基板に伴って屈曲するよう該可撓性基板に設けられて一定の電流が流され、前記第１及び第２の筐体の相対角度に応じた強さの磁界を発生する磁界発生用通電部材と、前記磁界発生用通電部材から発生される磁界の強さを検出する磁界強度検出手段と、前記磁界強度検出手段により検出された磁界の強さに応じて制御信号を出力する制御信号出力手段と、を備えることを特徴としている。
【００１４】
本発明の電子機器においては、前記磁界強度検出手段は、磁界発生用通電部材から発生される磁界の強さを検出し、その検出値に応じた電圧を出力するホールＩＣであり、前記制御信号出力手段は、前記ホールＩＣより出力された電圧の値に応じて前記制御信号を出力することが好ましい。
【００１５】
本発明の電子機器においては、前記磁界発生用通電部材は、前記第１及び第２の筐体のうちの一方の筐体内に配設された電源から他方の筐体内へと電力を供給する電気配線であることが好ましい。
【００１６】
本発明の電子機器においては、前記可撓性基板は、前記第１の筐体内に配設された第１の回路基板と前記第２の筐体内に配設された第２の回路基板とを相互に電気的に接続するものであることが好ましい。
【００１７】
本発明の電子機器においては、前記可撓性基板は、前記ヒンジ部内において巻回された巻回部を備え、前記磁界発生用通電部材は、前記可撓性基板の巻回部における巻回方向に沿って配設されていることが好ましい。
【００１８】
本発明の電子機器においては、表示装置と、前記制御信号出力手段からの前記制御信号に従って前記表示装置の表示制御を行う表示制御手段と、を備えることが好ましい。
【００１９】
本発明の電子機器においては、無線通信用の電波を送受信するアンテナと、前記制御信号出力手段からの前記制御信号に従って前記アンテナのマッチング定数を複数の値のうちの何れかの値に選択的に切り替えるアンテナマッチング切替回路と、を備えることが好ましい。
【００２０】
本発明の電子機器においては、前記制御信号出力手段は、前記第１及び第２の筐体の少なくとも３段階の相対角度に応じた前記制御信号をそれぞれ出力することが好ましい。
【００２１】
本発明の電子機器においては、前記制御信号に応じてどのような動作を行うかを使用者が任意に設定可能であることが好ましい。
【００２２】
本発明の電子機器においては、前記第１及び第２の筐体を相互に折り畳み可能であることが好ましい。
【００２３】
本発明の電子機器は、無線通信機能を備える移動通信端末装置であることが好ましい。
【００２４】
また、本発明の電子機器の動作制御方法は、第１及び第２の筐体と、前記第１及び第２の筐体を相互に回動可能に連結するヒンジ部と、前記第１の筐体の内部から前記ヒンジ部の内部を介して前記第２の筐体の内部に亘って配設され、前記第１の筐体の内部と前記第２の筐体の内部とを相互に電気的に接続する可撓性基板と、を備える電子機器の動作制御を行う方法において、前記可撓性基板に伴って屈曲するよう該可撓性基板に設けられた磁界発生用通電部材に一定の電流を流し、前記第１及び第２の筐体の相対角度に応じた強さの磁界を前記磁界発生用通電部材から発生させる第１の過程と、前記磁界発生用通電部材から発生される磁界の強さを検出する第２の過程と、前記第２の過程により検出された磁界の強さに応じて制御信号を出力する第３の過程と、前記制御信号に従った動作を行う第４の過程と、を備えることを特徴としている。
【００２５】
本発明の電子機器の動作制御方法においては、前記第２の過程では、前記磁界発生用通電部材から発生される磁界の強さをホールＩＣにより検出し、その検出値に応じた電圧を前記ホールＩＣから出力し、前記第３の過程では、前記ホールＩＣより出力された電圧の値に応じて前記制御信号を出力することが好ましい。
【００２６】
本発明の電子機器の動作制御方法においては、前記電子機器は表示装置を備え、前記第４の過程では、前記表示装置の表示制御を前記制御信号に従って行うことが好ましい。
【００２７】
本発明の電子機器の動作制御方法においては、前記電子機器は、無線通信用の電波を送受信するアンテナと、前記アンテナのマッチング定数を複数の値のうちの何れかの値に選択的に切り替えるアンテナマッチング切替回路と、を備え、前記第４の過程では、前記マッチング定数を前記制御信号に従って切り替えることが好ましい。
【発明の効果】
【００２８】
本発明によれば、以下の効果が得られる。
【００２９】
第一の効果は電子機器の小型化及び軽量化が図れる点である。
【００３０】
その理由は、従来は開閉検出には機構的なスイッチ部品を組み込む方法や磁石とホールＩＣを利用し検知する方法があるが、本発明ではホールＩＣなどの磁界強度検出手段を１個備えるだけで実現可能であり、磁石或いは機構的なスイッチ部品は不要であるので、従来よりも小型化及び軽量化できるためである。
【００３１】
第二の効果は、電子機器の状態を開、閉以外にも任意の角度で検出可能となる点である。
【００３２】
磁石とホールＩＣを使用した開閉検出の場合は、磁石をホールＩＣから大きく離すことにより検知を行う為、磁界の有り無しの２つの状態しか検出を行うことができなかった。
【００３３】
対して、本発明では磁界発生源である可撓性基板の近傍にホールＩＣなどの磁界強度検出手段を配置することにより磁界の変化をより詳細に検出することができるので、第二の効果が得られる。
【発明を実施するための最良の形態】
【００３４】
以下、図面を参照して、本発明に係る実施形態について説明する。
【００３５】
本実施形態では、本発明に係る電子機器の好適な一例としての折り畳み式携帯電話機について説明する。
【００３６】
図１は本実施形態に係る折り畳み式携帯電話機１００を開いた（全開した）状態を示す斜視図、図２は折り畳み式携帯電話機１００を開いた（全開した）状態を示す側断面図、図３は折り畳み式携帯電話機１００の主要なブロック構成を示すブロック図である。
【００３７】
図１及び図２に示すように、折り畳み式携帯電話機１００は、第１及び第２の筐体１００Ａ、１００Ｂと、これら第１及び第２の筐体１００Ａ、１００Ｂを相互に回動自在に連結したヒンジ部１００Ｃと、を備えて構成されている。
【００３８】
ヒンジ部１００Ｃの回動軸を中心として第１の筐体１００Ａと第２の筐体１００Ｂとを相対的に回動させることにより、折り畳み式携帯電話機１００を開いたり閉じたり（折り畳んだり）することができるようになっている。
【００３９】
なお、折り畳み式携帯電話機１００を全開した状態では、第１の筐体１００Ａと第２の筐体１００Ｂとの角度が９０°よりも大きい（例えば、１６０°程度）。
【００４０】
第１の筐体１００Ａにはディスプレイ（表示装置）４が設けられ、該ディスプレイ４の表示画面４Ａは、第１の筐体１００Ａにおいて、例えば、折り畳み式携帯電話機１００を折り畳んだ際に内側となる面に配設されている。
【００４１】
他方、第２の筐体１００Ｂにおいて、例えば、折り畳み式携帯電話機１００を折り畳んだ際に内側となる面には、複数の操作キーなどを備えて構成された操作部５が配設されている。
【００４２】
また、第２の筐体１００Ｂには、例えば、無線通信用の電波を送受信するアンテナ１１（図３）が設けられている。
【００４３】
図２に示すように、第１の筐体１００Ａの内部には第１の回路基板１が設けられ、第２の筐体１００Ｂの内部には第２の回路基板２が設けられている。
【００４４】
また、第１の回路基板１と第２の回路基板２とを相互に電気的に接続するフレキシブル基板（可撓性基板）３が、第１の筐体１００Ａの内部からヒンジ部１００Ｃの内部を介して第２の筐体１００Ｂの内部に亘って配設されている。
【００４５】
このフレキシブル基板３は、可撓性のものであり、図２に示すように、ヒンジ部１００Ｃ内において、例えば１周だけ螺旋状に巻回された巻回部３Ａを有している。
【００４６】
この巻回部３Ａは、第１及び第２の筐体１００Ａ、１００Ｂを折り畳んだり開いたりする際に生じる経路差を吸収するためのものである。
【００４７】
フレキシブル基板３内には、該フレキシブル基板３の屈曲に応じた磁界を発生する磁界発生用配線（磁界発生用通電部材、電気配線）６が設けられている。
【００４８】
この磁界発生用配線６は、例えば、フレキシブル基板３の巻回部３Ａにおける巻回方向（周方向）に沿って配設されている。
【００４９】
ここで、例えば、第２の筐体１００Ｂ内には、折り畳み式携帯電話機１００の電源７が設けられており、磁界発生用配線６は、例えば、電源７から第１の筐体１００Ａ内の第１の回路基板１上に設けられたＩＣ１５に対して電力を供給するためのものである。
【００５０】
ＩＣ１５の消費電力は、常時ほぼ一定となっており、折り畳み式携帯電話機１００の電源がオン状態の場合には、磁界発生用配線６には、常時ほぼ一定の電流が流れる。また、この電流に基づき、磁界発生用配線６の周囲には磁界が発生する。
【００５１】
図４乃至図６は、折り畳み式携帯電話機１００の開角度に応じたフレキシブル基板３の巻回部３Ａの内径を示す図であり、このうち図４は折り畳み式携帯電話機１００を閉じた状態を、図５は折り畳み式携帯電話機１００を９０°開いた状態を、図６は折り畳み式携帯電話機１００を全開した状態を、それぞれ示す。
【００５２】
図４乃至図６に示すように、フレキシブル基板３の巻回部３Ａの内径ｒは折り畳み式携帯電話機１００の開閉状態に応じて変化し、閉状態（図４）で最も小さく、全開状態（図６）で最も大きくなる。
【００５３】
磁界発生用配線６は、フレキシブル基板３の屈曲に伴って屈曲するため、磁界発生用配線６が発生する磁界の強さは、折り畳み式携帯電話機１００の開閉状態に応じて変化する。
【００５４】
また、図３に示すように、例えば、第２の制御基板２には、フレキシブル基板３の屈曲に応じて磁界発生用配線６より発生される磁界の変化を検出し、その検出値に応じた電圧を出力するホールＩＣ８と、このホールＩＣ８より出力される電圧を基準値と比較し、その比較結果に応じた制御信号を出力する電圧比較回路（制御信号出力手段）９と、この電圧比較回路９による比較に使用される基準値を記憶保持した基準値メモリ部１０と、電圧比較回路９からの制御信号に従ってアンテナ１１のマッチング定数を切り替えるアンテナマッチング切替回路１２と、電圧比較回路９からの制御信号に従ってディスプレイ４の表示制御を行うディスプレイ表示制御回路（表示制御手段）１４と、が設けられている。
【００５５】
ホールＩＣ８は、磁界発生用配線６の近傍に配設され、該磁界発生用配線６に電流が流れたときに発生する磁界を検知し、その磁界の強度（磁束密度）に応じた電圧を電圧比較回路９へ出力する。
【００５６】
電圧比較回路９は、ホールＩＣ８から入力される電圧と、基準値メモリ部１０より取得した基準値と、を比較し、その比較結果に応じて制御信号を出力する。
【００５７】
図７は電圧比較回路９とディスプレイ表示制御回路１４及びアンテナマッチング切替回路１２との接続関係と、アンテナ１１のマッチング回路１６（アンテナマッチング切替回路１２を含む）の詳細と、を示す図である。
【００５８】
図７に示すように、電圧比較回路９は、例えば、第１の比較器９１と第２の比較器９２とを備えている。
【００５９】
このうち第１の比較器９１は、ホールＩＣ８から入力される電圧を基準値ａと比較し、その比較結果に応じた制御信号Ｘをディスプレイ表示制御回路１４並びにアンテナマッチング切替回路１２に出力する。
【００６０】
また、第２の比較器９２は、ホールＩＣ８から入力される電圧を基準値ｂと比較し、その比較結果に応じた制御信号Ｙをディスプレイ表示制御回路１４並びにアンテナマッチング切替回路１２に出力する。
【００６１】
これら２つの制御信号Ｘ、Ｙに応じて、ディスプレイ表示制御回路１４はディスプレイ４の表示制御を行い、アンテナマッチング切替回路１２はマッチング定数の切り替え行う。
【００６２】
図７に示すように、アンテナ１１のマッチング回路１６は、メインマッチング回路１７と、アンテナマッチング切替回路１４と、を備えて構成されている。
【００６３】
このうちメインマッチング回路１７は、アンテナ１１に一端が接続されたコイルＬ１と、このコイルＬ１の他端に一端が接続され他端が接地されたコンデンサＣ１と、アンテナ１１とコイルＬ１との接続点に一端が接続され他端が接地されたコイルＬ４と、を備えて構成されている。
【００６４】
他方、アンテナマッチング切替回路１４は、抵抗Ｒ１、Ｒ２、ダイオードＤ１、Ｄ２、コンデンサＣ２、Ｃ３、コイルＬ２、Ｌ３を備えて構成されている。
【００６５】
抵抗Ｒ１の一端には制御信号Ｘの信号線が接続され、抵抗Ｒ１の他端にはダイオードＤ１のアノードが接続され、ダイオードＤ１のカソードにはコンデンサＣ２の一端が接続され、コンデンサＣ２の他端にはコイルＬ２の一端が接続され、コイルＬ２の他端はアンテナ１１とコイルＬ１との接続点に接続されている。
【００６６】
同様に、抵抗Ｒ２の一端には制御信号Ｙの信号線が接続され、抵抗Ｒ２の他端にはダイオードＤ２のアノードが接続され、ダイオードＤ２のカソードにはコンデンサＣ３の一端が接続され、コンデンサＣ３の他端にはコイルＬ３の一端が接続され、コイルＬ３の他端はアンテナ１１とコイルＬ１との接続点に接続されている。
【００６７】
次に、動作を説明する。
【００６８】
図８はホールＩＣ８が検出する磁束密度ＢとホールＩＣ８の出力電圧Ｖとの関係を示す図である。
【００６９】
図８に示すように、第１の筐体１００Ａと第２の筐体１００Ｂとの角度が大きくなるほど磁界発生用配線６から発生される磁界が強くなり、ホールＩＣ８が検出する磁束密度Ｂが大きく（高く）なる。
【００７０】
また、ホールＩＣ８が検出する磁束密度Ｂが大きく（高く）なるほど、ホールＩＣ８の出力電圧Ｖは大きくなる。
【００７１】
電圧比較回路９の第１の比較器９１は、ホールＩＣ８の出力電圧Ｖと図８に示す値ａとの大小判定を行い、電圧Ｖがａより大きい場合はＬ（ロー）、ａ以下の場合はＨ（ハイ）を制御信号Ｘとして出力する。
【００７２】
また、第２の比較器９２は、ホールＩＣ８の出力電圧Ｖと図８に示す値ｂ（ｂ＞ａ）との大小判定を行い、電圧Ｖがｂより大きい場合はＬ（ロー）、ａ以下の場合はＨ（ハイ）を制御信号Ｙとして出力する。
【００７３】
よって、電圧比較回路９からの出力は、折り畳み式携帯電話機１００が閉状態の場合には制御信号Ｘ、Ｌは共にＨとなり、全開状態の場合は制御信号Ｘ、Ｌは共にＬとなり、９０°開状態の場合は制御信号ＸはＨ、制御信号ＹはＬとなり、それぞれディスプレイ表示制御回路１４並びにアンテナマッチング切替回路１２に出力される。
【００７４】
このように、電圧比較回路９は、第１及び第２の筐体１００Ａ、１００Ｂの少なくとも３段階の相対角度（例えば、全開、閉、９０°開）に応じた組み合わせで制御信号Ｘ、Ｙを出力する。
【００７５】
ディスプレイ表示制御回路１４は、電圧比較回路９からの制御信号Ｘ、Ｙに従って、例えば、以下の制御を行う。
【００７６】
ディスプレイ表示制御回路１４は、折り畳み式携帯電話機１００が閉状態の場合、すなわち、制御信号Ｘ、Ｙが共にＨの場合には、ディスプレイ４の表示を常時オフにさせる制御を行う。
【００７７】
また、折り畳み式携帯電話機１００が全開状態の場合、すなわち、制御信号Ｘ、Ｙが共にＬの場合には、ディスプレイ４の表示をオンにさせる制御を行う。ただし、制御信号Ｘ、Ｙが共にＬの場合であっても、キー操作が所定時間の間行われない場合はディスプレイ４の表示をオフにさせる。
【００７８】
また、折り畳み式携帯電話機１００が９０°開状態の場合、すなわち、制御信号ＸがＬ、制御信号ＹがＨの場合の動作は、例えば、予めユーザが任意に設定することが可能となっている。つまり、制御信号Ｘ、Ｙに応じて折り畳み式携帯電話機１００がどのような動作を行うかをユーザ（使用者）が任意に設定可能となっている。
【００７９】
具体的には、例えば、データ通信などの機能を使用する際は９０°に開いた状態で机などに載置していてもディスプレイ４の表示を頻繁に確認しない場合が多いので、常時オフとなるように設定することも可能である。但し、その場合にはキー操作や着呼があった時にはディスプレイ４の表示をオンにすることとする。或いは、９０°開状態の場合も全開状態と同様の動作となるように設定することも可能とする。
【００８０】
また、アンテナマッチング切替回路１２は、電圧比較回路９からの制御信号Ｘ、Ｙに従って、折り畳み式携帯電話機１００が閉、全開、９０°開のそれぞれの状態での最適なマッチング回路となるようにマッチング定数の切替を行う。
【００８１】
折り畳み式携帯電話機１００は、全開状態で電圧比較回路９からの制御信号Ｘ、Ｙの出力が共にＬの場合は、メインマッチング回路１７のコイルＬ１とコンデンサＣ１によりアンテナ１１のマッチングをとる。
【００８２】
また、折り畳み式携帯電話機１００が閉状態で制御信号Ｘ、Ｙの出力が共にＨの場合は、ダイオードＤ１、Ｄ２がオンし、コイルＬ２、Ｌ３とコンデンサＣ２、Ｃ３がアンテナ１１に接続されることにより、マッチング定数が最適化される。
【００８３】
また、折り畳み式携帯電話機１００が９０°開状態の場合は制御信号ＸはＨ、ＹはＬとなるので、ダイオードＤ１、Ｄ２のうちダイオードＤ１のみがオンとなり、コイルＬ２、Ｌ３、コンデンサＣ２、Ｃ３のうちコイルＬ２とコンデンサＣ２のみがアンテナ１１に接続されることにより、やはりマッチング定数が最適化される。
【００８４】
このように、制御信号Ｘ、ＹでダイオードＤ１、Ｄ２オン／オフを行い折り畳み式携帯電話機１００の開閉状態に応じてアンテナ１１のマッチング定数を最適化させる。
【００８５】
以上のような実施形態によれば、以下の効果が得られる。
【００８６】
第一の効果は折り畳み式携帯電話機１００の小型化及び軽量化が図れる点である。
【００８７】
その理由は、従来は開閉検出には機構的なスイッチ部品を組み込む方法や磁石とホールＩＣを利用し検知する方法があるが、本実施形態ではホールＩＣ８を１個備えるだけで実現可能であり、磁石或いは機構的なスイッチ部品は不要であるので、従来よりも小型化及び軽量化できるためである。
【００８８】
第二の効果は、折り畳み式携帯電話機１００の状態を開、閉以外にも任意の角度で検出可能となる点である。
【００８９】
磁石とホールＩＣを使用した開閉検出の場合は、磁石をホールＩＣから大きく離すことにより検知を行う為、磁界の有り無しの２つの状態しか検出を行うことが困難であった。また、機構的なスイッチ部品を用いる場合、検出すべき開閉角度の段階数が多くなるほど、小型化、軽量化が困難となるというデメリットがあった。
【００９０】
対して、本実施形態では磁界発生源であるフレキシブル基板３の近傍にホールＩＣ８を配置することにより磁界の変化をより詳細に検出することができる。そのため適宜な閾値を設定することにより開閉以外にも例えば９０°での検出が可能となる。また、閾値を適宜に変更することによりその他の任意の角度の検出も可能となる。また、検出すべき開閉角度の段階数に関わらず、装置の重量は変化しないというメリットもある。
【００９１】
なお、上記の実施形態では、本発明に係る電子機器の好適な一例としての折り畳み式携帯電話機１００についてのみ説明したが、本発明は、この例に限らず、第１及び第２の筐体と、第１及び第２の筐体を相互に回動可能に連結するヒンジ部と、を備えるタイプの電子機器全般に適用可能である。
【００９２】
また、折り畳み式の電子機器に限らず、第１の筐体と第２の筐体とを所定の角度範囲で相対的に回動可能な電子機器であれば、同様に本発明を適用可能である。
【００９３】
また、本発明を移動通信端末装置に適用する場合の好適な一例として、上記では折り畳み式携帯電話機１００を例示したが、例えば、ＰＨＳ（Ｐｅｒｓｏｎａｌ  Ｈａｎｄｙ  Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）など、その他の移動通信端末装置にも同様に適用可能である。
【００９４】
また、上記の実施形態では、磁界発生用通電部材の好適な一例として、磁界発生用配線６を例示したが、通電により磁界を発生する部材であればその他であっても良い。
【図面の簡単な説明】
【００９５】
【図１】本発明の実施形態に係る折り畳み式携帯電話機を開いた状態を示す斜視図である。
【図２】図１の折り畳み式携帯電話機を開いた状態を示す側断面図である。
【図３】図１の折り畳み式携帯電話機の主要なブロック構成を示すブロック図である。
【図４】図１の折り畳み式携帯電話機の開角度に応じたフレキシブル基板の巻回部の内径を示す図であり、特に、折り畳み式携帯電話機を閉じた状態を示す。
【図５】図１の折り畳み式携帯電話機の開角度に応じたフレキシブル基板の巻回部の内径を示す図であり、特に、折り畳み式携帯電話機を９０°開いた状態を示す。
【図６】図１の折り畳み式携帯電話機の開角度に応じたフレキシブル基板の巻回部の内径を示す図であり、特に、折り畳み式携帯電話機を全開した状態を示す。
【図７】アンテナマッチング切替回路の詳細を示す回路図である。
【図８】磁束密度とホールＩＣの出力電圧との関係を示す図である。
【符号の説明】
【００９６】
１００    折り畳み式携帯電話機（電子機器、移動通信端末装置）
１００Ａ          第１の筐体
１００Ｂ  第２の筐体
１００Ｃ  ヒンジ部
１        第１の回路基板
２        第２の回路基板
３        フレキシブル基板（可撓性基板）
３Ａ      巻回部
４        ディスプレイ（表示装置）
６        磁界発生用配線（磁界発生用通電部材、電気配線）
８        ホールＩＣ（磁界強度検出手段）
９        電圧比較回路（制御信号出力手段）
１１      アンテナ
１２      アンテナマッチング切替回路
１４      ディスプレイ表示制御回路（表示制御手段）
【図１】
0004394615.tif 000002
【図２】
0004394615.tif 000003
【図３】
0004394615.tif 000004
【図４】
0004394615.tif 000005
【図５】
0004394615.tif 000006
【図６】
0004394615.tif 000007
【図７】
0004394615.tif 000008
【図８】
0004394615.tif 000009